(57)【要約】【課題】通水路に生じる逆流水をケースの外部に排出する構造の簡素化ならびに合理化を図り、製造コストなどの点で好ましいものとし得る浴室設置用の機能ユニットを提供する。【解決手段】流体機器を用いた通水路２が、ケース１内に組み込まれた構成を有し、前記流体機器として、通水路２の上流側が下流側よりも負圧になった際に通水路２内に生じる逆流水を通水路外に逃がすための逃がし弁５を有し、この逃がし弁５は、ケース１に設けられた逆流水用の排出口１８に配管接続されていることにより、排出口１８からケース１の外部に逆流水を排出可能とされている、浴室設置用の機能ユニットＵであって、逆流水用の排出口１８は、ケースの起立状の壁部１０ａに設けられている。【選択図】  図１
2014226450.tif 000002
【特許請求の範囲】
【請求項１】
流体機器を用いた通水路が、ケース内に組み込まれた構成を有し、
前記流体機器として、前記通水路の上流側が下流側よりも負圧になった際に前記通水路内に生じる逆流水を前記通水路外に逃がすための逃がし弁を有し、
この逃がし弁は、前記ケースに設けられた逆流水用の排出口に配管接続されていることにより、前記排出口から前記ケースの外部に逆流水を排出可能とされている、浴室設置用の機能ユニットであって、
前記逆流水用の排出口は、前記ケースの起立状の壁部に設けられていることを特徴とする、浴室設置用の機能ユニット。
【請求項２】
請求項１に記載の浴室設置用の機能ユニットであって、
前記ケースの前記起立状の壁部の外面には、前記排出口の形成位置から下向きに延びた排水ガイド溝が設けられており、前記排出口を通過した逆流水は前記排水ガイド溝内を下向きに流れるように構成されている、浴室設置用の機能ユニット。
【請求項３】
請求項２に記載の浴室設置用の機能ユニットであって、
前記排水ガイド溝は、少なくとも前記起立状の壁部の下縁部まで延びている、浴室設置用の機能ユニット。
【請求項４】
請求項３に記載の浴室設置用の機能ユニットであって、
前記排水ガイド溝は、前記ケースの底壁部の下面領域に廻り込んだ状態に設けられ、かつ前記底壁部の下面領域においては、前記排水ガイド溝の終端壁部および幅方向両側壁部が上下方向に起立している、浴室設置用の機能ユニット。
【請求項５】
請求項１ないし４のいずれかに記載の浴室設置用の機能ユニットであって、
前記ケースは、起立状の背面壁部の外周縁部から正面視枠状の壁部が前方に突出した前面開口状のケース本体と、このケース本体の前面開口部分を塞ぐ前面カバーとが組み合わされて構成され、
前記ケース本体の背面壁部には、この背面壁部から前記ケース本体の前方側に突出する筒状部が一体成形され、この筒状部の孔部が前記逆流水用の排出口とされ、かつ前記筒状部には、前記逃がし弁と前記排出口との接続を図るための配管部材の一端が嵌合接続されている、浴室設置用の機能ユニット。
【発明の詳細な説明】
【技術分野】
【０００１】
本発明は、たとえば浴槽洗浄用の機能ユニットなど、浴室に設置されて用いられる浴室設置用の機能ユニットに関する。
【背景技術】
【０００２】
本出願人は、浴室設置用の機能ユニットの一例として、特許文献１に記載されたものを先に提案しており、これを図４に示す。
同図に示す機能ユニットＵｅは、浴槽洗浄用の機能ユニットであり、ケース１ｅ内に通水路２ｅが組み込まれてユニット化されている。通水路２ｅは、湯水の流入口２０に供給されてきた湯水を一定の経路で流通させるものであるが、その途中には、通水路２ｅ内に洗剤を投入するための洗剤投入用弁３０が設けられ、流出口２１からは洗剤液（洗浄水）が流出するように構成されている。この洗剤液は、浴槽に設置された洗浄用のノズルに供給され、このノズルから浴槽に向けて噴射される。
【０００３】
機能ユニットＵｅにおいては、通水路２ｅの上流側が下流側よりも負圧になった際に通水路２ｅ内に生じる逆流水を通水路２ｅの外部に逃がすための逃がし弁５ｅも設けられている。一方、ケース１ｅの底壁部１０ｃには、逆流水用の排出口９が設けられており、この排出口９と逃がし弁５ｅとが配管部材７ｅを介して接続されている。このような構成によれば、逆流水を逃がし弁５ｅから排出口９に導き、ケース１ｅの外部に適切に排出することが可能である。
【０００４】
しかしながら、前記従来技術においては、次に述べるように、未だ改善すべき余地があった。
【０００５】
すなわち、逃がし弁５ｅは、ケース１ｅ内の上部寄りの位置に配される場合があるが、このような場合には、逃がし弁５ｅから排出口９までの距離Ｌが長くなる。したがって、これらの間を繋ぐ配管部材７ｅは長寸法となる。このことは、配管部材７ｅのコスト増、重量増を招く他、ケース１ｅ内への配管部材７ｅの組み付け作業の煩雑さをも招く。また、ケース１ｅ内における配管部材７ｅの占有スペースの割合も比較的大きくなるため、ケース１ｅ内に他の機器を組み付け際の邪魔になるといった虞もある。したがって、このようなことが適切に解消することが要望される。
【先行技術文献】
【特許文献】
【０００６】
【特許文献１】特許第４９６７８３６号公報
【発明の概要】
【発明が解決しようとする課題】
【０００７】
本発明は、前記したような事情のもとで考え出されたものであり、通水路に生じる逆流水をケースの外部に排出する構造の簡素化ならびに合理化を図り、製造コストなどの点で従来よりも好ましいものとすることが可能な浴室設置用の機能ユニットを提供することを、その課題としている。
【課題を解決するための手段】
【０００８】
上記の課題を解決するため、本発明では、次の技術的手段を講じている。
【０００９】
本発明により提供される浴室設置用の機能ユニットは、流体機器を用いた通水路が、ケ
ース内に組み込まれた構成を有し、前記流体機器として、前記通水路の上流側が下流側よりも負圧になった際に前記通水路内に生じる逆流水を前記通水路外に逃がすための逃がし弁を有し、この逃がし弁は、前記ケースに設けられた逆流水用の排出口に配管接続されていることにより、前記排出口から前記ケースの外部に逆流水を排出可能とされている、浴室設置用の機能ユニットであって、前記逆流水用の排出口は、前記ケースの起立状の壁部に設けられていることを特徴としている。
【００１０】
このような構成によれば、逆流水用の排出口は、ケースの底壁部には設けられておらず、ケースの起立状の壁部に設けられているために、この排出口と逃がし弁との相互間の距離を小さくすることができる。したがって、逃がし弁と排出口とを接続する配管部材の小寸法化や軽量化が可能となり、その部品コストを廉価にすることもできる。また、前記配管部材の取り廻しも容易となるため、ケース内への組み付け作業性も良好となり、製造コストを一層廉価にすることができる。さらに、配管部材の小寸法化を図ることができれば、その分だけケース内に余裕の空間部を確保するといったことが可能となり、他の機器類の組み付けの容易化なども図られる。
【００１１】
本発明において、好ましくは、前記ケースの前記起立状の壁部の外面には、前記排出口の形成位置から下向きに延びた排水ガイド溝が設けられており、前記排出口を通過した逆流水は前記排水ガイド溝内を下向きに流れるように構成されている。
【００１２】
このような構成によれば、排出口を通過してケースの外部に流出した逆流水は、排水ガイド溝によりガイドされて下向きに流れることとなり、逆流水がケースの外面を伝って思わぬ方向に流れることは適切に防止される。
【００１３】
本発明において、好ましくは、前記排水ガイド溝は、少なくとも前記起立状の壁部の下縁部まで延びている。
【００１４】
このような構成によれば、逆流水がケース下方の所定位置に流れることを確実化することができる。
【００１５】
本発明において、好ましくは、前記排水ガイド溝は、前記ケースの底壁部の下面領域に廻り込んだ状態に設けられ、かつ前記底壁部の下面領域においては、前記排水ガイド溝の終端壁部および幅方向両側壁部が上下方向に起立している。
【００１６】
このような構成によれば、逆流水をケースの直下に流れ落とすことが可能となる。また、逆流水がケースの底壁部の下面領域まで進行した後には、排水ガイド溝の上下方向に起立した終端壁部および幅方向両側壁部を下向きに伝って下方に流れ落ちることとなり、逆流水が流れ落ちる位置がより安定する。逆流水が底壁部の下面の他の領域に広がっていくことも適切に防止される。
【００１７】
本発明において、好ましくは、前記ケースは、起立状の背面壁部の外周縁部から正面視枠状の壁部が前方に突出した前面開口状のケース本体と、このケース本体の前面開口部分を塞ぐ前面カバーとが組み合わされて構成され、前記ケース本体の背面壁部には、この背面壁部から前記ケース本体の前方側に突出する筒状部が一体成形され、この筒状部の孔部が前記逆流水用の排出口とされ、かつ前記筒状部には、前記逃がし弁と前記排出口との接続を図るための配管部材の一端が嵌合接続されている。
【００１８】
このような構成によれば、逃がし弁と排出口との配管接続が容易となる。また、ケースの背面壁部に設けられた筒状部は、ケースを樹脂成形する際の金型の抜き方向と一致するために、その成形も容易である。
【００１９】
本発明のその他の特徴および利点は、添付図面を参照して以下に行なう発明の実施の形態の説明から、より明らかになるであろう。
【図面の簡単な説明】
【００２０】
【図１】本発明に係る浴室設置用の機能ユニットの一例を示し、（ａ）は、一部破断正面図であり、（ｂ）は、（ａ）のＩｂ−Ｉｂ拡大断面図であり、（ｃ）は、（ａ）の要部背面図（（ｂ）の矢視Ｉｃ）である。
【図２】（ａ），（ｂ）は、図１に示す浴室設置用の機能ユニットの概略構造説明図である。
【図３】（ａ）は、本発明の他の例を示す要部断面図であり、（ｂ）は、（ａ）の矢視IIIbの図である。
【図４】従来技術の一例を示す一部破断正面図である。
【発明を実施するための形態】
【００２１】
以下、本発明の好ましい実施の形態について、図面を参照して具体的に説明する。
【００２２】
図１および図２に示す浴室設置用の機能ユニットＵは、浴室洗浄装置の構成要素として用いられるものであり、洗剤液（洗浄水）を生成し、かつこの洗剤液を浴槽に設置された洗浄ノズルに送り出すものである。この機能ユニットＵは、浴室内のうち、浴槽と浴槽エプロンとの隙間、あるいは浴槽と浴室の壁部との隙間などに設置される。
【００２３】
機能ユニットＵの全体の基本的な構成は、図４に示した特許文献１に記載の機能ユニットＵｅと同様である。したがって、これと共通する部分については簡単に説明する。
【００２４】
機能ユニットＵは、ケース１内に通水路２が組み込まれた構成を有している。
ケース１は、樹脂製のケース本体１０と、前面カバー１１（図１ではその一部分のみを示している）とを組み合わせたものである。ケース本体１０は、正面視矩形状の背面壁部１０ａと、この背面壁部１０ａの外周縁部から前方に突出する正面視枠状に繋がった複数の壁部１０ｂ〜１０ｅを有する前面開口状である。複数の壁部１０ｂ〜１０ｅは、より詳細には、上壁部１０ｂ、底壁部１０ｃ、および両側壁部１０ｄ，１０ｅである。前面カバー１１は、矩形プレート状であり、ケース本体１０に対してその前面開口部を塞ぐようにビス止めされる。
【００２５】
通水路２には、洗剤投入用弁３０が接続されており、給湯機などから流入口２０に供給されてきた湯水に洗剤を混入させることにより洗剤液（洗浄水）を生成可能である。この洗浄水は、流出口２１から浴槽洗浄用の洗浄ノズルに向けて送出可能である。洗剤投入用弁３０には、別途設けられている洗剤タンクから洗剤導入口３１を介して供給される。このような洗浄水の生成処理および洗浄ノズルへの送出を適切に行なうための手段として、通水路２には、フィルタ４０、水量調整弁４１、流量センサ４２、注湯電磁弁（開閉弁）４３、逆止弁４４ａ，４４ｂ、逃がし弁５、逆止弁４６ａ，４６ｂ、および排水弁４７などの流体機器が設けられている（図２（ａ）も参照）。
【００２６】
逃がし弁５は、図１（ａ）に示すように、本実施形態では、注湯電磁弁４３に付属した弁として構成されている。この点は、逆止弁４４ａ，４４ｂも同様である。逃がし弁５は、図２（ａ）に示すように、通水路２のうち、逆止弁４４ａ，４４ｂの相互間の流路２ａに分岐接続された１次流路５１、弁体５０を介して１次流路５１との遮断が可能な２次流路５２、および通水路２の上流側の圧力Ｐａが圧力導入管５９を介して供給された圧力室５３を備えている。通水路２が正常な際には、圧力室５３の圧力Ｐａにより弁体５０が閉状態となり、１次流路５１から２次流路５２への通水はない。これに対し、通水路２の上
流側が下流側よりも負圧となり、逆流水を生じる異常が生じた場合には、圧力室５３の弁体５０に対する押圧力がバネ５４の押圧力よりも小さくなる結果、図２（ｂ）に示すように、弁体５０が開状態となる。このことにより、通水路２における逆流水を逃がし弁５の２次流路５２に流れ込ませ、この２次流路５２から通水路２の外部に逆流水を排出することができる。
【００２７】
前記した逆流水を逃がし弁５からケース１の外部に排出させるための手段として、図１に示すように、ケース１の背面壁部１０ａには、逆流水用の排出口１８を形成する筒状部１７が設けられている。さらに、ケース１の背面壁部１０ａや底壁部１０ｃには、排水ガイド溝６が一連に設けられている。
【００２８】
筒状部１７は、管継手部としての役割を果たす部分であり、背面壁部１０ａからケース１の前方に向けて突出するようにして背面壁部１０ａに一体成形されている。この筒状部１７の孔部が排出口１８である。筒状部１７には、逃がし弁５に接続された配管部材７の一端が嵌合接続されており、逃がし弁５の２次流路５２に流れてきた逆流水は、配管部材７を介して排出口１８に導かれるように構成されている。配管部材７は、好ましくは、可撓性を有する樹脂製あるいはゴム製などのホースである。
【００２９】
排水ガイド溝６は、図１（ｂ），（ｃ）に示すように、排出口１８の形成箇所から下向きに延びており、この排水ガイド溝６の下部側は、背面壁部１０ａの下縁部に達し、さらにはケース１の底壁部１０ｃの下面部まで廻り込んでいる。排水ガイド溝６の終端壁部６０は、たとえば底壁部１０ｃの下面部の前後幅方向の略中央に位置している。排水ガイド溝６は、ケース１の外面の一部が部分的に窪んだ凹溝状として形成されている。ケース１の底壁部１０ａの下面部においては、排水ガイド溝６の終端壁部６０および幅方向両側壁部６１は、互いに繋がり、かつ上下方向に起立している。
【００３０】
排水弁４７は、機能的には逃がし弁に相当するものであるが、本実施形態においては、この排水弁４７に本発明が意図する逆流水のガイド手段は適用されていない。この排水弁４７は、逆止弁４６ａに一体的に形成(または連結)されてこの逆止弁４６ａに連動した弁開閉動作を行なうものであり、逆止弁４６ａの位置に湯水の逆流が生じて逆止弁４６ａの弁本体が上流側に移動した際には、これに連動して排水弁４７が開状態となり、逆流水を外部に逃がすものである。排水弁４７からの逆流水の排出は、管体２９を介して行なわれる。管体２９は、ケース１の底壁部１０ｃに設けられた開口部１５に下端が差し込まれたものである。排水弁４７は、ケース１内のかなり低い位置に設けられているために、管体２９の寸法は短くすることができ、本発明が意図する逆流水の排水構造を適用しなくてもとくに支障はない（背景技術の欄で述べたような不具合は、この排水弁４７においては生じ難い）。
なお、逃がし弁５による逆流水の排出は、排水弁４７による逆流水の排出だけでは不十分な場合、あるいは何らか事情により排水弁４７による排水が困難となったような場合になされる。
【００３１】
次に、前記した浴室設置用の機能ユニットＵの作用について説明する。
【００３２】
まず、逆流水用の排出口１８は、ケース１の背面壁部１０ａに設けられているために、この排出口１８と逃がし弁５とを繋ぐ配管部材７の長さを短くし、その軽量化や部品コストの低減を図ることができる。また、配管部材７の長さが短ければ、その取り廻しが容易となり、配管部材７の組み付け作業も容易となる。排出口１８に対する配管部材７の接続は、この配管部材７の一端部を筒状部１７に嵌合させることにより簡単に行なうことが可能である。その際の配管部材７の嵌合方向は、ケース本体１０の前面開口部側からケース本体１０の奥部に向かう方向であるため、その作業は一層容易となる。さらに、配管部材
７の長さを短くすることができれば、ケース１内に余裕のスペースを確保するといったことが可能となり、他の機器の組み付け作業が容易となる効果も期待できる。このようなことから、機能ユニットＵの生産性が向上する。筒状部１７は、ケース本体１０を樹脂成形する際の金型の抜き方向と一致するために、その成形も容易である。
【００３３】
一方、逃がし弁５から配管部材７を介して排出口１８に到達した逆流水は、ケース１の外部に流出した後に、排水ガイド溝６内を通って下向きに流れ、排水ガイド溝６によってケース１の底壁部１０ｃの下面部までガイドされる。したがって、逆流水がケース１の背面壁部１０ａの外面を伝って思わぬ方向に流れるといったことは適切に防止される。底壁部１０ｃの下面部においては、排水ガイド溝６の終端壁部６０や両側壁部６１が互いに繋がって上下方向に起立しているために、逆流水が底壁部１０ｃの下面の他の部分に伝っていくことも適切に防止される。したがって、逆流水が流れ落ちる位置はより安定する。
【００３４】
排水ガイド溝６の終端壁部６０は、底壁部１０ｃの下面の幅方向略中央部に位置しているために、逆流水をケース１の直下に流れ落とすことが可能である。一方、管体２９からもケース１の直下に逆流水が流れ落ちるように設定されている。したがって、排水ガイド溝６を伝う逆流水と、管体２９から排出される逆流水とが流れ落ちる位置を揃えることができる。これは、ケース１から排出される逆流水が浴室内の床面上に広く拡がって流れるといったことを防止する上で好ましい。
このように、本実施形態では、逃がし弁５からの逆流水をケース１の背面壁部１０ａに沿わせて下向きに流れさせるようにしているが、排水ガイド溝６の作用により、逆流水を所望の位置にガイドし、適切な排水処理が可能である。
【００３５】
図３は、本発明の他の実施形態を示している。同図において、前記実施形態と同一または類似の要素には、前記実施形態と同一の符号を付している。
【００３６】
図３に示す実施形態においては、逆流水用の排出口１８が、単なる開口孔として形成されており、前述した筒状部１７に相当する部位は設けられていない。配管部材７は、排出口１８に挿通され、かつ排出口１８の内周縁に係合するリング状の位置決め部材７０を用いて背面壁部１０ａへの固定が図られている。排水ガイド溝６は、排出口１８よりも高い部分から下向きに延びるように形成されており、実質的には、この排水ガイド溝６の奥壁部６３に排出口１８が設けられた格好となっている。
【００３７】
本実施形態においても、前記実施形態と同様に、配管部材７内を流れてきた逆流水を排水ガイド溝６によってガイドし、ケース１の外面の広い領域に拡がらないようにすることが可能である。なお、本実施形態においては、逆流水は排出口１８から外部に流出しておらず、逆流水は排出口１８に通された配管部材７の先端から外部に流出する構造とされているが、このような構造も本発明が意図する構造に含まれる。
【００３８】
本発明は、上述した実施形態の内容に限定されない。本発明に係る浴室設置用の機能ユニットの各部の具体的な構成は、本発明の意図する範囲内において種々に設計変更自在である。
【００３９】
本発明でいう逃がし弁は、通水路の上流側が下流側よりも負圧になった際に通水路内に生じる逆流水を通水路外に逃がす機能を有するものであればよい。上述の実施形態における排水弁４７（逃がし弁）またはこれに類する弁がケース内の比較的高い位置に配されている場合には、この排水弁４７またはこれに類する弁からの逆流水の排出手段として、本発明が意図する構造を採用することが可能であり、この場合も本発明の技術的範囲に包摂される。
【００４０】
本発明では、逆流水用の排出口がケースの起立状の壁部に設けられていればよい。起立状の壁部としては、背面壁部の他に、側壁部も含まれ、側壁部に排出口を設けてもよい。
【００４１】
排水ガイド溝については、ケースの外面に窪みを生じた凹溝として形成することに代えて、次のような構成とすることもできる。すなわち、ケースの外面に互いに間隔を隔てた２条の凸状部を形成し、これら２条の凸状部に挟まれた部分を排水ガイド溝としてもよい。排水ガイド溝は、ケースの底壁部の下面まで延びた状態に設けることが好ましいものの、これに限定されず、それよりも短くてもよい。排水ガイド溝は、排出口から下向き（真下に限らず、多少は斜めに傾いていてもよい）に延びて形成されていればよい。なお、排水ガイド溝の上端が排出口である必要はなく、この点は図３（ｂ）の構成からも理解できる。
【００４２】
本発明でいう浴室設置用の機能ユニットは、浴室に設置されて使用される機能ユニットであり、浴槽洗浄に用いる洗浄水を生成するものに限定されない。たとえば、ジェットバス用のポンプを備えた通水路をケース内に組み込んだようなものも含まれる。
【符号の説明】
【００４３】
Ｕ  浴室設置用の機能ユニット
１  ケース
２  通水路
５  逃がし弁
６  排水ガイド溝
７  配管部材
１０ａ  背面壁部（起立状の壁部）
１７  筒状部
１８  逆流水用の排出口
６０  終端壁部（排水ガイド溝の）
【図１】
2014226450.tif 000003
【図２】
2014226450.tif 000004
【図３】
2014226450.tif 000005
【図４】
2014226450.tif 000006